(57)【要約】【課題】簡易な構成でラッチ装置に大きな負荷がかかるのを抑制することを目的とする。【解決手段】ラッチ装置１は、棒状部９１に係合可能なラッチ２０と、ラッチ２０を引っ張って回動させる牽引部材（ワイヤ４０）と、ラッチ２０に設けられ、牽引部材の先端に設けられる係合部（係止ボール４１）と係合するラッチ側係合部（ラッチ側係合部材３０）を備える。ラッチ２０は、棒状部９１に係合した第１姿勢と、棒状部９１から外れ、かつ、牽引部材を最大に引いたときの第２姿勢との間で回動可能となっている。ラッチ側係合部は、ラッチ２０が第１姿勢と第２姿勢の間の第３姿勢に回動するまでの間、係合部を保持する保持凹部３２ａと、保持凹部３２ａに隣接して設けられ、ラッチ２０の回動軸２０Ａから離れる方向に延びるスライド係合部３０ｂを有する。【選択図】図４
2015020728.tif 000002
【特許請求の範囲】
【請求項１】
棒状部に係合または離脱するラッチ装置であって、
ベース部材と、
前記ベース部材に回動可能に支持され、前記棒状部に係合可能なラッチと、
前記ラッチを引っ張ることで、当該ラッチを回動させるための牽引部材と、
前記ラッチに設けられ、前記牽引部材の先端に設けられる係合部と係合するラッチ側係合部と、を備え、
前記ラッチは、前記棒状部に係合した第１姿勢と、前記棒状部から外れ、かつ、前記牽引部材を最大に引いたときの第２姿勢との間で回動可能であり、
前記ラッチ側係合部は、
前記ラッチが前記第１姿勢と前記第２姿勢の間の第３姿勢に回動するまでの間、前記係合部を保持する保持凹部と、
前記保持凹部に隣接して設けられ、前記ラッチの回動軸から離れる方向に延びるスライド係合部と、を有し、
前記係合部は、前記ラッチが前記第１姿勢から前記第３姿勢に回動するまでの間、前記保持凹部に係合しながら前記回動軸を中心に回動し、前記ラッチが前記第３姿勢から前記第２姿勢に回動するまでの間、前記スライド係合部に係合しながら当該スライド係合部に沿って前記回動軸から離れる方向に移動するように構成されていることを特徴とするラッチ装置。
【請求項２】
前記ラッチ側係合部は、前記ラッチとは別部材であることを特徴とする請求項１に記載のラッチ装置。
【請求項３】
前記係合部は、前記回動軸に直交した平面に沿って移動可能に構成されていることを特徴とする請求項１または請求項２のいずれか１項に記載のラッチ装置。
【請求項４】
前記保持凹部の前記スライド係合部とは反対側には、前記係合部の前記回動軸側への移動を規制する第１係止部が設けられていることを特徴とする請求項１〜請求項３のいずれか１項に記載のラッチ装置。
【請求項５】
前記保持凹部から前記第１係止部側に延びる延設壁を備え、
前記延設壁は、前記ラッチが前記第１姿勢であるときに、前記第１係止部から前記保持凹部に向かうにつれて前記引張方向の下流側に向けて傾斜していることを特徴とする請求項４に記載のラッチ装置。
【請求項６】
前記保持凹部の前記係合部と係合する面は、前記スライド係合部の前記係合部と係合する面に段差なく繋がっていることを特徴とする請求項１〜請求項５のいずれか１項に記載のラッチ装置。
【請求項７】
前記ラッチ側係合部は、前記牽引部材を通すためのスリットが形成される板状部と、当該板状部から立設されるリブ部とを有することを特徴とする請求項１〜請求項６のいずれか１項に記載のラッチ装置。
【請求項８】
前記リブ部は、前記係合部とは反対側に向けて立設されていることを特徴とする請求項７に記載のラッチ装置。
【請求項９】
前記ラッチは、前記第１姿勢から前記第３姿勢になるまでの間に前記棒状部から外れるように構成されていることを特徴とする請求項１〜請求項８のいずれか１項に記載のラッチ装置。
【請求項１０】
前記スライド係合部の前記保持凹部とは反対側には、前記係合部が前記保持凹部から離れる方向に移動するのを規制する第２係止部が設けられていることを特徴とする請求項１〜請求項９のいずれか１項に記載のラッチ装置。
【発明の詳細な説明】
【技術分野】
【０００１】
本発明は、乗物用シート等を固定するのに使用するラッチ装置に関する。
【背景技術】
【０００２】
一般に、車体に対し回動可能に設けられたシートは、その脚などにラッチ装置が設けられており、このラッチ装置が車体に固定されたストライカに係合することで車体に固定されている。そして、ラッチ装置を操作するレバーは、使用者が操作しやすいようにラッチ装置から離れた適宜な箇所に設けられ、レバーとラッチ装置の間にワイヤやロッドなどの牽引部材が設けられて、この牽引部材によりレバーの動作をラッチ装置に伝えるようになっている。
【０００３】
例えば、特許文献１にはこのようなラッチ装置が開示されている。このラッチ装置は、ストライカに係合するラッチを、ラチェット、オープンレバーおよび作動レバーにより作動させるようになっており、オープンレバーにはワイヤが係合されている。そして、ワイヤを、ラッチ装置から離れた箇所にあるレバーなどで引くことで、ラッチの開閉が行われるようになっている。
【０００４】
このラッチ装置においては、ワイヤでオープンレバーを引くと、オープンレバーが回転し、この回転が、オープンレバーに設けられた溝とラチェットの作動腕の係合により、ラチェットに伝わっている。そして、オープンレバーの溝は、ラッチが開ききった状態になったときに、それ以上ラチェットに回転力を伝達させないような形状で形成されており、これにより、乗員がワイヤを引ききった場合であってもラッチ装置に大きな負荷がかかるのを抑えることが可能となっている。
【先行技術文献】
【特許文献】
【０００５】
【特許文献１】特開２０１１−０６８２６２号公報
【発明の概要】
【発明が解決しようとする課題】
【０００６】
しかしながら、特許文献１の構成では、ラッチとワイヤの間に多くの部品を設けているので、ラッチ装置が複雑化してしまうといった問題がある。
【０００７】
本発明は、以上のような背景に鑑みてなされたものであり、簡易な構成でラッチ装置に大きな負荷がかかるのを抑制することを目的とする。
【０００８】
また、本発明は、ラッチ装置の小型化を図ることや、ラッチを良好に動作させることを目的とする。
【課題を解決するための手段】
【０００９】
前記した課題を解決する本発明は、棒状部に係合または離脱するラッチ装置であって、ベース部材と、前記ベース部材に回動可能に支持され、前記棒状部に係合可能なラッチと、前記ラッチを引っ張ることで、当該ラッチを回動させるための牽引部材と、前記ラッチに設けられ、前記牽引部材の先端に設けられる係合部と係合するラッチ側係合部と、を備える。
前記ラッチは、前記棒状部に係合した第１姿勢と、前記棒状部から外れ、かつ、前記牽引部材を最大に引いたときの第２姿勢との間で回動可能となっている。
前記ラッチ側係合部は、前記ラッチが前記第１姿勢と前記第２姿勢の間の第３姿勢に回動するまでの間、前記係合部を保持する保持凹部と、前記保持凹部に隣接して設けられ、前記ラッチの回動軸から離れる方向に延びるスライド係合部と、を有する。
前記係合部は、前記ラッチが前記第１姿勢から前記第３姿勢に回動するまでの間、前記保持凹部に係合しながら前記回動軸を中心に回動し、前記ラッチが前記第３姿勢から前記第２姿勢に回動するまでの間、前記スライド係合部に係合しながら当該スライド係合部に沿って前記回動軸から離れる方向に移動するように構成されている。
【００１０】
この構成によれば、ラッチが第１姿勢から第３姿勢に回動するまでの間は、牽引部材の係合部が保持凹部に係合しながら回動軸を中心に回動することで、牽引部材からの力がラッチに良好に伝わるので、ラッチを良好に回動させることができる。また、ラッチが第３姿勢から第２姿勢に回動するまでの間は、牽引部材の係合部がスライド係合部に係合しながら当該スライド係合部に沿って回動軸から離れる方向に移動することで、牽引部材からラッチに伝わる力を逃がすことができるので、ラッチ装置に大きな負荷がかかるのを抑えることができる。さらに、このような保持凹部およびスライド係合部を有するラッチ側係合部をラッチに設けているので、ラッチとワイヤとの間の部品を少なくすることができ、ラッチ装置の簡易化を図ることができる。
【００１１】
また、前記した構成において、前記ラッチ側係合部は、前記ラッチとは別部材であってもよい。
【００１２】
この場合であっても、従来のようなラッチ装置に比べ、部品点数を削減して、ラッチ装置の簡易化を図ることができる。また、ラッチ装置を取り付ける対象物の種類に応じて、異なる形状のラッチ側係合部をラッチに取り付けるだけで、様々な種類の対象物において、ラッチ装置のラッチ側係合部以外の構造を変更することなく、牽引部材の係合部の移動量を自由に調節して、牽引部材の引ききりによるラッチ装置への負荷を抑えることができる。
【００１３】
また、前記した構成において、前記係合部は、前記回動軸に直交した平面に沿って移動可能に構成されていてもよい。
【００１４】
これによれば、例えば係合部が回動軸方向に移動してしまうような構造に比べ、ラッチ装置を回動軸方向に小型化することができる。
【００１５】
また、前記した構成において、前記保持凹部の前記スライド係合部とは反対側には、前記係合部の前記回動軸側への移動を規制する第１係止部が設けられていてもよい。
【００１６】
これによれば、第１姿勢となるラッチを牽引部材で引っ張る際において、係合部が誤って回動軸側へ移動しようとしても、その移動を第１係止部によって抑えることができるので、ラッチを良好に動作させることができる。
【００１７】
また、前記した構成において、前記保持凹部から前記第１係止部側に延びる延設壁を備え、前記延設壁は、前記ラッチが前記第１姿勢であるときに、前記第１係止部から前記保持凹部に向かうにつれて前記引張方向の下流側に向けて傾斜していてもよい。
【００１８】
これによれば、第１姿勢において係合部が保持凹部からずれて延設壁と係合した状態となっている場合であっても、牽引部材を引っ張ったときに係合部を傾斜した延設壁に沿って保持凹部に移動させることができるので、ラッチを良好に動作させることができる。
【００１９】
また、前記した構成において、前記保持凹部の前記係合部と係合する面は、前記スライド係合部の前記係合部と係合する面に段差なく繋がっていてもよい。
【００２０】
これによれば、係合部が保持凹部からスライド係合部へスムーズに移動するので、ラッチの回動をスムーズに行うことができる。
【００２１】
また、前記した構成において、前記ラッチ側係合部は、前記牽引部材を通すためのスリットが形成される板状部と、当該板状部から立設されるリブ部とを有していてもよい。
【００２２】
これによれば、スリットが形成された板状部の剛性を、リブ部によって高くすることができるので、板状部の変形を抑えて、ラッチを良好に動作させることができる。
【００２３】
また、前記した構成において、前記リブ部は、前記係合部とは反対側に向けて立設されていてもよい。
【００２４】
これによれば、リブ部によって係合部の移動が邪魔されないので、係合部をスムーズに移動させることができ、ラッチを良好に動作させることができる。
【００２５】
また、前記した構成において、前記ラッチは、前記第１姿勢から前記第３姿勢になるまでの間に前記棒状部から外れるように構成されていてもよい。
【００２６】
これによれば、ラッチが第１姿勢から第３姿勢になるまでの間、つまり牽引部材からの力がラッチに良好に伝わってラッチが大きく回動する間に、ラッチが棒状部から外れるので、ラッチを良好に動作させることができる。
【００２７】
また、前記した構成において、前記スライド係合部の前記保持凹部とは反対側には、前記係合部が前記保持凹部から離れる方向に移動するのを規制する第２係止部が設けられていてもよい。
【００２８】
これによれば、牽引部材を引ききったときに、係合部がスライド係合部から外れるのを第２係止部によって抑えることができるので、ラッチを良好に動作させることができる。
【発明の効果】
【００２９】
請求項１に記載の構成によれば、簡易な構成でラッチ装置に大きな負荷がかかるのを抑制することができる。
【００３０】
請求項２に記載の構成によれば、ラッチ装置を取り付ける対象物の種類に応じて、ラッチ装置のラッチ側係合部以外の構造を変更することなく、牽引部材の係合部の移動量を自由に調節して、牽引部材の引ききりによるラッチ装置への負荷を抑えることができる。
【００３１】
請求項３に記載の構成によれば、ラッチ装置を回動軸方向に小型化することができる。
【００３２】
請求項４に記載の構成によれば、第１姿勢となるラッチを牽引部材で引っ張る際において、係合部の回動軸側への移動を第１係止部によって抑えることができるので、ラッチを良好に動作させることができる。
【００３３】
請求項５に記載の構成によれば、牽引部材を引っ張ったときに係合部を傾斜した延設壁に沿って保持凹部に移動させることができるので、ラッチを良好に動作させることができる。
【００３４】
請求項６に記載の構成によれば、係合部が保持凹部の面と当該面に段差なく繋がるスライド係合部の面へスムーズに移動するので、ラッチの回動をスムーズに行うことができる。
【００３５】
請求項７に記載の構成によれば、スリットが形成された板状部の剛性をリブ部によって高くすることができるので、板状部の変形を抑えて、ラッチを良好に動作させることができる。
【００３６】
請求項８に記載の構成によれば、リブ部が係合部とは反対側に向けて立設されるので、係合部をスムーズに移動させることができ、ラッチを良好に動作させることができる。
【００３７】
請求項９に記載の構成によれば、牽引部材からの力がラッチに良好に伝わってラッチが大きく回動する間に、ラッチが棒状部から外れるので、ラッチを良好に動作させることができる。
【００３８】
請求項１０に記載の構成によれば、牽引部材を引ききったときに係合部がスライド係合部から外れるのを第２係止部によって抑えることができるので、ラッチを良好に動作させることができる。
【図面の簡単な説明】
【００３９】
【図１】ラッチ装置が設けられた乗物用シートの側面図である。
【図２】ラッチ装置を内側から見た側面図である。
【図３】ラッチ装置を分解して示す分解斜視図（ａ）と、図３（ａ）のスリットを示すＡ矢視図（ｂ）である。
【図４】ラッチがロック姿勢である状態を示す側面図（ａ）と、途中姿勢である状態を示す側面図（ｂ）と、最大引張姿勢である状態を示す側面図（ｃ）である。
【図５】図２のＩ−Ｉ断面図であり、衝突前の状態を示す断面図（ａ）と、衝突後の状態を示す断面図（ｂ）である。
【図６】衝突後のラッチ装置を示す側面図である。
【図７】保持凹部の変形例を示す図である。
【発明を実施するための形態】
【００４０】
以下、添付の図面を参照しながら本発明に係るラッチ装置の一実施形態について説明する。一実施形態のラッチ装置は、例えば図１に示すように、自動車などの乗物用シートＳの脚Ｓ１などに設けられる。ラッチ装置１は、乗物のフロアＦに固定されたストライカ９０に係合することで乗物用シートＳをフロアＦに固定し、ストライカ９０から離脱することで乗物用シートＳをフロアＦから解放するようになっている。なお、本実施形態において、前後、左右、上下は、乗物用シートＳに座る乗員を基準とする。
【００４１】
図２に示すように、ラッチ装置１は、ベース部材の一例としてのベースプレート１０と、ストライカ９０の棒状部９１に係合可能なラッチ２０と、ラッチ側係合部の一例としてのラッチ側係合部材３０と、牽引部材の一例としてのワイヤ４０とを備えている。
【００４２】
図３（ａ）に示すように、ベースプレート１０は、板金をプレス成形して形成された長尺の板状の部材であり、左右方向に直交した底壁部１１と、底壁部１１の前端から右側に延びる前壁部１２と、底壁部１１の上端から右側に延びる上壁部１３と、底壁部１１の後端の下部から右側に延びる後壁部１４と、前壁部１２の右端から前側に延びる第１フランジ部１５と、後壁部１４の右端から後側に延びる第２フランジ部１６とを備えている。
【００４３】
底壁部１１の下端には、下方に開口する溝１１ａが形成されている。この溝１１ａは、ストライカ９０の棒状部９１（図２参照）を底壁部１１の内側（図２に示すラッチ２０の回動軸２０Ａ付近）まで入り込ませるための溝であり、前壁部１２に隣接するように配置されている。
【００４４】
底壁部１１のうち溝１１ａの上側には、底壁部１１から右側に膨出する有底円筒状の膨出部１１ｂが形成されている。膨出部１１ｂの中心には、ラッチ２０を回動可能に支持する支持軸５１および固定ピン５２を取り付けるための取付孔１１ｃが形成されている。つまり、ベースプレート１０は、支持軸５１を介してラッチ２０を回動可能に支持している。
【００４５】
図２に示すように、底壁部１１の前端は、下端から上方に延びた後前斜め上方に延び、その後上方に延びるような形状に形成されている。そして、図３（ａ）に示すように、前壁部１２は、底壁部１１の前端に倣った形状に形成され、その上部には、左側に向けて凹む切欠部１２ａが形成されている。
【００４６】
前壁部１２と、前壁部１２と底壁部１１とを連結する屈曲部１２ｂと、前壁部１２と第１フランジ部１５とを連結する屈曲部１２ｃとを含む部位は、乗物の衝突時に応力が集中して他の部位よりも優先的に変形する応力集中部ＳＣとなっている。ここで、乗物の衝突により乗物用シートＳが前側に倒れそうになった場合には、図６に示すように、ラッチ２０のストライカ９０との係合部分に下方に向かう大きな力が加わる。この力はラッチ２０を支持する支持軸５１および固定ピン５２を介してベースプレート１０に伝わる。このような方向に作用する力によって、応力集中部ＳＣが他の部位よりも優先的に変形するように、実験やシミュレーション等によって、応力集中部ＳＣの形状や位置が設定されている。
【００４７】
図５（ａ）に示すように、第１フランジ部１５は、底壁部１１よりも脚Ｓ１に近い位置に配置されており、その適所には、第１ボルトＢ１を挿通させる円孔１５ａが形成されている。ここで、第１ボルトＢ１は、第１フランジ部１５を脚Ｓ１に締結するためのボルトであり、当該第１ボルトＢ１が応力集中部ＳＣの近傍に配置されるように、円孔１５ａの位置が設定されている。なお、応力集中部ＳＣの近傍とは、乗物の衝突時において第１ボルトＢ１によって応力集中部ＳＣの変形を規制できる程度に近い位置をいい、この位置は、実験やシミュレーション等で設定される。
【００４８】
このように応力集中部ＳＣの近傍に第１ボルトＢ１を設けることで、図５（ａ），（ｂ）に示すように、乗物の衝突時に応力集中部ＳＣが第１ボルトＢ１に向けて変形しても、その変形が第１ボルトＢ１で規制されるので、ベースプレート１０の変形によりラッチ２０の向きが変わって、ラッチ２０と棒状部９１の係合状態が変化するのを抑えることが可能となっている。また、第１ボルトＢ１が円孔１５ａに通されていることにより、例えば第１ボルトを長孔に通すような構造に比べ、応力集中部ＳＣが変形したときに円孔１５ａの縁が第１ボルトＢ１に即座に当接するので、応力集中部ＳＣの変形をより抑えることができる。
【００４９】
また、第１ボルトＢ１の第１フランジ部１５からの高さは、応力集中部ＳＣの第１フランジ部１５からの高さ以上になっている。これにより、第１ボルトＢ１によって、応力集中部ＳＣの変形をより抑えることができるので、ラッチ２０と棒状部９１の係合状態が変化するのをより抑えることが可能となっている。
【００５０】
図３（ａ）に戻って、第２フランジ部１６には、第２ボルトＢ２（図２参照）を挿通させる長孔１６ａが形成されている。ここで、第２ボルトＢ２は、第２フランジ部１６を脚Ｓ１に締結するためのボルトである。長孔１６ａは、前後方向に長くなるように形成されている。このように複数のボルトＢ１，Ｂ２を挿通させるための複数の孔のうち１つの孔を長孔１６ａとすることで、製造誤差を吸収することが可能となっている。
【００５１】
図２に示すように、ラッチ２０の回動軸２０Ａから第１ボルトＢ１までの距離は、ラッチ２０の回動軸２０Ａから第２ボルトＢ２までの距離よりも小さくなるように構成されている。これにより、乗物の衝突時においてラッチ２０からベースプレート１０を介して第１ボルトＢ１付近に加わる力が、第２ボルトＢ２付近に加わる力よりも大きくなるので、大きな力により応力集中部ＳＣを他の部位よりも優先的に変形させることが可能となっている。その結果、応力集中部ＳＣの変形を第１ボルトＢ１で規制する効果をより確実に発揮させることができ、ラッチ２０と棒状部９１の係合状態が変化するのをより確実に抑えることが可能となっている。
【００５２】
図２および図３（ａ）に示すように、ラッチ２０は、棒状部９１に係合または離脱する係合溝２０Ｂを有する鉤状の部材であり、ベースプレート１０の膨出部１１ｂに固定ピン５２によって固定される支持軸５１に回動可能に支持されている。ラッチ２０は、棒状部９１に係合した第１姿勢（図２の姿勢、以下、ロック姿勢ともいう。）と、棒状部９１から外れ、かつ、ワイヤ４０を最大に引いたときの第２姿勢（図４（ｃ）の姿勢、以下、最大引張姿勢ともいう。）との間で回動可能となっている。
【００５３】
ラッチ２０と支持軸５１のフランジ５１ａとの間には、ラッチ２０を常時ロック姿勢に向けて付勢するためのトーションバネ６１が設けられている。トーションバネ６１の一端６１ａは、ベースプレート１０の切欠部１２ａに係合し、他端６１ｂはラッチ２０またはラッチ側係合部材３０に係合している。
【００５４】
ラッチ２０は、金属製のラッチ本体２１と、当該ラッチ本体２１の一部を覆う樹脂製のカバー２２とを備えている。カバー２２は、主にラッチ本体２１の係合溝２０Ｂに相当する溝を覆うように形成されている。
【００５５】
ラッチ２０の係合溝２０Ｂは、ロック姿勢において、前側（第１ボルトＢ１側）に向けて開口している。これにより、乗物の衝突時に応力集中部ＳＣが変形して、ラッチ２０が前斜め下方に移動した場合には、棒状部９１が係合溝２０Ｂに深く入り込むので、ラッチ２０と棒状部９１の係合状態が変化するのをより抑えることが可能となっている。
【００５６】
ラッチ２０の回動軸２０Ａは、応力集中部ＳＣを挟んで第１ボルトＢ１とは反対側に配置されている。これにより、衝突時に応力集中部ＳＣが変形することにより、ラッチ２０の回動軸２０Ａが第１ボルトＢ１に向けて移動しようとしても、応力集中部ＳＣの変形が第１ボルトＢ１で規制されたときに、ラッチ２０の回動軸２０Ａの移動も規制されるので、ラッチ２０の回動軸２０Ａが移動しすぎてラッチ２０の向きが変わることによってラッチ２０と棒状部９１の係合状態が変化するのを抑えることが可能となっている。
【００５７】
ラッチ２０、詳しくは金属製のラッチ本体２１は、応力集中部ＳＣの近傍に設けられ、衝突時に応力集中部ＳＣに当接して移動が規制されるように構成されている。ここで、応力集中部ＳＣの近傍とは、衝突時にラッチ本体２１が応力集中部ＳＣに当接できる程度に近いことを意味する。
【００５８】
これによれば、乗物の衝突時におけるラッチ２０の移動が、ラッチ本体２１と応力集中部ＳＣとの当接により規制されるので、ラッチ２０と棒状部９１の係合状態が変化するのをより抑えることが可能となっている。特に、本実施形態では、衝突時に応力集中部ＳＣに当接するラッチ本体２１が金属製であるので、ラッチ本体２１が変形しにくい。そのため、例えば樹脂製のカバーが応力集中部に当接する構造に比べ、ラッチ２０の移動をより抑えることができるので、ラッチ２０と棒状部９１の係合状態が変化するのをより抑えることが可能となっている。
【００５９】
また、図５（ａ）に示すように、ラッチ２０の一部は、当該ラッチ２０の回動軸方向において第１フランジ部１５よりも底壁部１１側に配置されている。これにより、例えばラッチの回動軸方向においてラッチを第１フランジ部よりも底壁部とは反対側に配置する構造に比べ、ラッチ装置１を回動軸方向に小型化することが可能となっている。
【００６０】
また、第１フランジ部１５の第１ボルトＢ１とラッチ２０の間の部位は、第１ボルトＢ１の径方向に延びるように形成され、径方向から見て第１ボルトＢ１とラッチ２０とに重なっている。これにより、乗物の衝突時において第１ボルトＢ１側に向けて移動してくる応力集中部ＳＣに対して第１フランジ部１５の一部（特に、第１ボルトＢ１と脚Ｓ１で挟持されている部位）が突っ張るように作用するので、第１フランジ部１５の一部でも応力集中部ＳＣの変形を規制することができる。
【００６１】
図２および図３（ａ）に示すように、ラッチ側係合部材３０は、ワイヤ４０の先端に設けられる係合部の一例としての係止ボール４１が係合する部材であり、ラッチ２０とは別部材に構成され、第１係止部の一例としてのリベットＲＶによってラッチ２０に固定されている。詳しくは、ラッチ側係合部材３０は、左右方向に直交した板状の第１板状部３１と、第１板状部３１の後端から右側に突出する第２板状部３２と、第２板状部３２の右端から後側に突出するリブ部３３とを有している。
【００６２】
第１板状部３１は、上下方向に長い略矩形に形成されており、その上部には、第１板状部３１をラッチ本体２１に固定するためのリベットＲＶが嵌合される孔３１ａが形成されている。第１板状部３１の孔３１ａの前上側には、前斜め上方に向けて延びる係合片３１ｂが形成されている。
【００６３】
係合片３１ｂは、リベットＲＶを中心とした円周方向においてラッチ本体２１の側面２１ａに係合している。これにより、ラッチ側係合部材３０をワイヤ４０で後方に引っ張った場合には、係合片３１ｂがラッチ２０の側面２１ａに引っ掛かることで、ラッチ側係合部材３０とラッチ２０とが一体に回動するようになっている。
【００６４】
第２板状部３２は、係止ボール４１が係合する部位であり、ロック姿勢において、略後方に向けて凹む保持凹部３２ａと、保持凹部３２ａから下斜め前側に延びるスライド係合部３２ｂと、スライド係合部３２ｂの下端から前側に延びる第２係止部の一例としての係止壁３２ｃと、保持凹部３２ａからリベットＲＶ側に延びる延設壁３２ｄとを備えている。
【００６５】
保持凹部３２ａは、ラッチ２０がロック姿勢から当該ロック姿勢と最大引張姿勢の間の第３姿勢（図４（ｂ）の姿勢、以下、途中姿勢ともいう。）に回動するまでの間、係止ボール４１を保持するように構成されている。ここで、保持凹部３２ａは、ロック姿勢において、係止ボール４１と接している部分をいう。
【００６６】
これにより、ラッチ２０がロック姿勢から途中姿勢になるまでの間は、係止ボール４１がラッチ２０の回動軸２０Ａを中心に回動するので、ワイヤ４０からの力がラッチ２０に良好に伝達され、ラッチ２０を大きく回動させることが可能となっている。
【００６７】
特に、本実施形態では、ラッチ２０がロック姿勢から途中姿勢になるまでの間、つまり係止ボール４１が保持凹部３２ａに保持されている間に、ラッチ２０が棒状部９１から外れるように構成されている。より詳しくは、ラッチ２０がロック姿勢から途中姿勢になるまでの間にラッチ２０が棒状部９１から外れるように、保持凹部３２ａの形状や配置、または、後述するワイヤ４０を支持するシース４２の端部の固定位置などが適宜設定されている。このように係止ボール４１が保持凹部３２ａに保持されている間、つまりワイヤ４０からの力がラッチ２０に良好に伝わってラッチ２０が大きく回動する間に、ラッチ２０が棒状部９１から外れるように構成することで、ラッチ２０を良好に動作させることが可能となっている。
【００６８】
保持凹部３２ａの係止ボール４１と係合する面は、スライド係合部３２ｂの係止ボール４１と係合する面に段差なく繋がっている。これにより、係止ボール４１が保持凹部３２ａからスライド係合部３２ｂへスムーズに移動するので、ラッチ２０の回動をスムーズに行うことが可能となっている。
【００６９】
スライド係合部３２ｂは、保持凹部３２ａに隣接して設けられ、ラッチ２０の回動軸２０Ａから離れる方向に向けて延びるように形成されている。詳しくは、スライド係合部３２ｂは、ラッチ２０が途中姿勢から最大引張姿勢に回動するまでの間、係止ボール４１に係合し、当該係止ボール４１をスライド係合部３２ｂに沿って回動軸２０Ａから離れる方向に移動させるように構成されている。これにより、ワイヤ４０からラッチ２０に伝わる力を逃がすことができるので、ラッチ装置１に大きな負荷がかかるのを抑えることが可能となっている。
【００７０】
係止壁３２ｃは、係止ボール４１がスライド係合部３２ｂから下側（保持凹部３２ａから離れる方向）に移動するのを規制する機能を有している。なお、本実施形態では、ラッチ２０が最大引張姿勢であるときに、係止ボール４１が係止壁３２ｃに届かないように設定されているが、ワイヤ４０の伸びなどの外乱により係止ボール４１がスライド係合部３２ｂよりも下側に移動しそうになった場合には、係止壁３２ｃにより係止ボール４１がスライド係合部３２ｂから外れるのを抑えることが可能となっている。
【００７１】
リベットＲＶは、保持凹部３２ａのスライド係合部３２ｂとは反対側、詳しくはラッチ２０がロック姿勢であるときに延設壁３２ｄの上斜め前側に隣接して設けられ、係止ボール４１の回動軸２０Ａ側への移動を規制している。これにより、ロック姿勢となるラッチ２０をワイヤ４０で引っ張る際において、係止ボール４１が誤って回動軸２０Ａ側へ移動しようとしても、その移動をリベットＲＶによって抑えることができるので、ラッチ２０を良好に動作させることが可能となっている。
【００７２】
延設壁３２ｄは、ラッチ２０がロック姿勢であるときに、リベットＲＶから保持凹部３２ａに向かうにつれてワイヤ４０の引張方向下流側に向けて傾斜している。これにより、ロック姿勢において係止ボール４１が保持凹部３２ａからずれて延設壁３２ｄと係合した状態となっている場合であっても、ワイヤ４０を引っ張ったときに係止ボール４１を傾斜した延設壁３２ｄに沿って保持凹部３２ａに移動させることができるので、ラッチ２０を良好に動作させることが可能となっている。
【００７３】
また、延設壁３２ｄの係止ボール４１と係合する面は、保持凹部３２ａの係止ボール４１と係合する面と段差なく繋がっている。これにより、係止ボール４１が延設壁３２ｄから保持凹部３２ａへスムーズに移動するので、ワイヤ４０をスムーズに引っ張ることが可能となっている。
【００７４】
図３（ａ），（ｂ）に示すように、第２板状部３２には、ワイヤ４０を通すためのスリット３２ｅが形成されている。詳しくは、スリット３２ｅは、前述した延設壁３２ｄ、保持凹部３２ａ、スライド係合部３２ｂおよび係止壁３２ｃを通るように形成され、係止壁３２ｃの途中から右側に屈曲して、右側に開口しており、当該開口からワイヤ４０が挿入されるようになっている。
【００７５】
リブ部３３は、スリット３２ｅの開口端から第２板状部３２の右端に沿って立設されている。これにより、スリット３２ｅが形成された第２板状部３２の剛性を、リブ部３３によって高くすることができるので、第２板状部３２の変形を抑えて、ラッチ２０を良好に動作させることが可能となっている。
【００７６】
また、リブ部３３は、第２板状部３２から後側、すなわち第２板状部３２の係止ボール４１が配置される側とは反対側に向けて立設されている。これにより、リブ部３３によって係止ボール４１の移動が邪魔されないので、係止ボール４１をスムーズに移動させることができ、ラッチ２０を良好に動作させることが可能となっている。
【００７７】
ワイヤ４０は、ラッチ側係合部材３０を介してラッチ２０を引っ張ることで、当該ラッチ２０を回動させるための部材であり、その一端に係止ボール４１が設けられ、その他端が図示せぬ操作レバーに連結されている。ワイヤ４０は、円筒状のシース４２に摺動可能に支持されており、シース４２の係止ボール４１側の端部は、乗物用シートＳに設けられる図示せぬブラケット等に支持されている。
【００７８】
係止ボール４１は、ワイヤ４０がスリット３２ｅによって移動可能に支持されていることで、ラッチ２０の回動軸２０Ａに直交した平面に沿って移動可能に構成されている。これにより、例えば係止ボールが回動軸方向に移動してしまうような構造に比べ、ラッチ装置１を回動軸方向に小型化することが可能となっている。
【００７９】
次に、各部材の動作について説明する。
図４（ａ），（ｂ）に示すように、ラッチ２０がロック姿勢から途中姿勢まで回動する場合には、係止ボール４１が保持凹部３２ａに保持されたまま、ラッチ２０の回動軸２０Ａを中心に回動することで、ラッチ２０が大きく回動して棒状部９１から外れる。
【００８０】
図４（ｂ），（ｃ）に示すように、ラッチ２０が途中姿勢から最大引張姿勢まで回動する場合には、係止ボール４１がスライド係合部３２ｂ上を滑って回動軸２０Ａから離れる方向に逃げていくことで、ラッチ２０の回動量を小さく抑えつつ、ワイヤ４０の引張量を稼ぐことができる。そのため、ラッチ２０がベースプレート１０に干渉するのを抑えつつ、ワイヤ４０の引ききりによってワイヤ４０やラッチ装置１に大きな負荷がかかるのを抑えることができる。
【００８１】
最後に、乗物の衝突時における第１ボルトＢ１の作用効果について説明する。
図５（ａ），（ｂ）および図６に示すように、乗物の衝突時には、応力集中部ＳＣが他の部位よりも優先的に変形し、その変形は、第１ボルトＢ１によって規制される。また、応力集中部ＳＣの変形に伴って移動するラッチ２０は、応力集中部ＳＣに当接することで、その移動が止められる。
【００８２】
そのため、乗物の衝突時におけるベースプレート１０の変形により、ラッチ２０と棒状部９１の係合状態が変化するのを抑えることができる。
【００８３】
以上、本実施形態によれば、前述した効果に加え、次の各効果を奏することができる。
ラッチ２０とワイヤ４０との間に設ける部品がラッチ側係合部材３０の１つで済むので、ラッチ装置１の簡易化を図ることができる。
【００８４】
ラッチ側係合部材３０がラッチ２０とは別部材であるので、乗物の種類に応じて、異なる形状のラッチ側係合部材３０をラッチ２０に取り付けるだけで、様々な種類の乗物において、ラッチ装置１のラッチ側係合部材３０以外の構造を変更することなく、ワイヤ４０の係止ボール４１の移動量を自由に調節して、ワイヤ４０の引ききりによるラッチ装置１への負荷を抑えることができる。
【００８５】
以上に本発明の実施形態について説明したが、本発明は、以下の他の形態に示すように、適宜変形して実施することが可能である。
【００８６】
前記実施形態では、第２板状部３２を凹ませることで保持凹部３２ａを形成したが、本発明はこれに限定されず、例えば図７に示すように、第２板状部１３２にリベットＲＶを隣接させることで、第２板状部１３２とリベットＲＶの間（隅）を保持凹部１３２ａとしてもよい。
【００８７】
前記実施形態では、牽引部材の一例としてワイヤ４０を例示したが、牽引部材は、例えば複数のロッドをそれぞれ回動可能に連結したものであってもよい。
【００８８】
前記実施形態では、ラッチ装置１を、車両などの乗物用シートＳの脚Ｓ１に適用したが、ラッチ装置は、乗物用シートＳの着座部や背もたれに設けられていてもよく、車両のトランクなどの開閉部分をロックする装置として使用することもできる。乗物用シートＳも、車両以外の船舶や飛行機のシートであってもよい。さらに、ラッチ装置１は、乗物以外のもの、例えば戸棚の戸をロックするための装置としても使用することができる。
【００８９】
前記実施形態では、ベース部材の一例としてベースプレート１０を例示したが、ベース部材は、肉厚の部材であってもよい。また、前記実施形態では、係合部の一例として係止ボール４１を例示したが、係合部は、例えば円柱状に形成されていてもよい。
【００９０】
前記実施形態では、ラッチ側係合部の一例としてラッチ２０とは別部材のラッチ側係合部材３０を例示したが、ラッチ側係合部は、ラッチに一体に形成されていてもよい。
【００９１】
前記実施形態では、第１係止部の一例としてリベットＲＶを例示したが、第１係止部は、例えば延設壁に一体に形成される壁であってもよい。
【００９２】
前記実施形態では、保持凹部の係合部と係合する面と、スライド係合部および延設壁の係合部と係合する面とを段差なく繋げたが、保持凹部の係合部と係合する面は、スライド係合部等の係合部と係合する面に対して交差していてもよい。
【００９３】
前記実施形態では、ラッチ２０がロック姿勢から途中姿勢になるまでの間に棒状部９１から外れるように構成したが、ラッチを途中姿勢から最大引張姿勢になるまでの間に棒状部から外れるように構成してもよい。
【符号の説明】
【００９４】
１      ラッチ装置
１０    ベースプレート
２０    ラッチ
２０Ａ  回動軸
３０    ラッチ側係合部材
３２ａ  保持凹部
３２ｂ  スライド係合部
４０    ワイヤ
４１    係止ボール
９０    ストライカ
９１    棒状部
【図１】
2015020728.tif 000003
【図２】
2015020728.tif 000004
【図３】
2015020728.tif 000005
【図４】
2015020728.tif 000006
【図５】
2015020728.tif 000007
【図６】
2015020728.tif 000008
【図７】
2015020728.tif 000009